(57)【特許請求の範囲】
【請求項１】
水を熱水にまで加熱可能な加熱手段を備えたポット(1) に、複数のサプリメント溶出手段(2) 、湯水の取り出し流路を選択する流路選択手段(3) および水中溶存酸素量調節手段(4) が付設されていること、
前記サプリメント溶出手段(2) が、サプリメント(S) とセラミックス(C) との複合体(SC)からなること、
前記流路選択手段(3) の操作により、前記複数のサプリメント溶出手段(2) のうちの所望のものを経て湯水を取り出すことができるようにしてあること、および、
前記の水中溶存酸素量調節手段(4) が、
・湯水を多孔質セラミックスと接触させる接触手段(4a)であるか、
・該接触手段(4a)と、湯水中へのエアの吹き込みまたは負圧を利用したエアの吸引によりエアの混入を行うエアレーション手段(4b)とを併用した手段
であり、この溶存酸素量調節手段(4) により、ポット(1) 内の湯水を取り出すときに湯水中の溶存酸素量が調節されるようにしてあること、
を特徴とする機能性ポット。
【請求項２】
サプリメント溶出手段(2) を経る流路Ｘと共に、サプリメント溶出手段(2) を経ないで湯水が取り出される流路Ｙを備えている請求項１記載の機能性ポット。
【発明の詳細な説明】
【０００１】
【発明の属する技術分野】
本発明は、ポットからの湯水の吐出時に、湯水中に適量かつ必要なサプリメントが溶出されると共に、ポット内の湯水を取り出すときに湯水中の溶存酸素量が調節されるように工夫した機能性ポットに関するものである。
【０００２】
【従来の技術】
〈電気ポット〉
生活を豊かにするための電化製品の一つとして、一定温度の湯（殊に熱湯）が常時得られる沸騰型の電気ポットが生活の場に採り入れられ、家庭や職場で定着している。沸騰型の電気ポットは、ガスや電気でその都度湯を沸かす方法に比し、格段に便利である上、一定温度に保たれるように自動的にＯＮ、ＯＦＦがなされ空だきがないので、安全性の点でも好ましいものである。
【０００３】
〈サプリメント〉
最近の食生活は、外食、市販の弁当、ファーストフード、加工食品の比率が高まっているため、家庭料理の場合のような栄養バランスを保つことが難しい。そこで、多くの人にとって、日常の食生活では不足するミネラル類やビタミン類を補充することにも関心が高まっている。なお、このような健康維持、体の機能維持、病気予防のための栄養補助食品は、薬とは区別され、一般にサプリメントと呼ばれている。
【０００４】
この種のサプリメントは、身近なドラッグストアやコンビニエンスストアでも販売されているので、容易に入手することができる。サプリメントの形態も、液体、ペースト、粉末、錠剤などいろいろな種類がある。サプリメントの日常的な摂取は、現在の健康志向に添っているということができる。
【０００５】
【発明が解決しようとする課題】
上述のように、その人に合った適当な種類のサプリメントを摂取すれば、偏りのある食生活を改善することが可能である。
【０００６】
しかしながら、必要とする数種類のサプリメントを購入して準備しておくことは、煩雑さの点で、必ずしも確実には実行しがたい。
【０００７】
また、通常の食事以外に、液体、ペースト、粉末、錠剤などの形態のサプリメントをわざわざ摂取することは、サプリメントが食品であるとは言え、あたかも本人が不健康を自覚しているので薬を飲むというような印象ないし感覚があり、自然感に欠けるきらいがある。
【０００８】
本発明は、このような背景下において、日常の習慣となっている緑茶、コーヒー、紅茶のようなお茶を飲んだり水を飲んだりするようなごく自然な喫飲感で必要なサプリメントを摂取でき、摂取直前にサプリメントが溶出するので、サプリメントが変質することがなく、しかも長期にわたりサプリメントを補充する手間を要せず、さらにはポット内の湯水を取り出すときに湯水中の溶存酸素量が調節されるように工夫した機能性ポットを提供することを目的とするものである。
【０００９】
【課題を解決するための手段】
本発明の機能性ポットは、
水を熱水にまで加熱可能な加熱手段を備えたポット(1) に、複数のサプリメント溶出手段(2) 、湯水の取り出し流路を選択する流路選択手段(3) および水中溶存酸素量調節手段(4) が付設されていること、
前記サプリメント溶出手段(2) が、サプリメント(S) とセラミックス(C) との複合体(SC)からなること、
前記流路選択手段(3) の操作により、前記複数のサプリメント溶出手段(2) のうちの所望のものを経て湯水を取り出すことができるようにしてあること、および、
前記の水中溶存酸素量調節手段(4) が、
・湯水を多孔質セラミックスと接触させる接触手段(4a)であるか、
・該接触手段(4a)と、湯水中へのエアの吹き込みまたは負圧を利用したエアの吸引によりエアの混入を行うエアレーション手段(4b)とを併用した手段
であり、この溶存酸素量調節手段(4) により、ポット(1) 内の湯水を取り出すときに湯水中の溶存酸素量が調節されるようにしてあること、
を特徴とするものである。
【００１０】
この場合、サプリメント溶出手段(2) を経る流路Ｘと共に、サプリメント溶出手段(2) を経ないで湯水が取り出される流路Ｙを備えていることが好ましい。
【００１１】
【発明の実施の形態】
以下本発明を詳細に説明する。本発明において、「湯水」は、「湯または／および水」、換言すれば「熱水から冷水に至る任意の温度の水」の意味で用いており、「サプリメント」は、栄養補助食品、保健機能食品、栄養機能食品、健康食品、ダイエット食品、経口スキンケア食品、あるいはそれらに類するものの意味で用いている。
【００１２】
〈ポット(1) 〉
ポット(1) としては、水を熱水にまで加熱可能な加熱手段を備えたもの、殊に、特定の温度に設定できるもの（たとえば、９８℃というような高温に維持することができる沸騰型のもの）、特定の複数段階の温度に設定できるもの（たとえば、９８℃と８５℃とか、９８℃と８５℃と６０℃とかいうように）が特に好適に用いられる。
【００１３】
ポット(1) は、熱水用の室のほか、温水用や室温水用の室を内蔵しているものであってもよい。
【００１４】
ポット(1) の容量は、大容量から小容量まで広い範囲に設定できる。ポット(1) 内への水の補給ないし貯水の方式としては、人が補給操作を行う手動補給式、消費した分だけ自動補給がなされるようにした自動補給式、常態では水を入れておかないか少量の水を入れておき、使用時に水道等からポット(1) 内に水を通水する通過補給式などが採用される。最後の方式の場合には、水道の蛇口に取りつけるコンパクトな態様のものとすることもできる。
【００１５】
〈サプリメント溶出手段(2) 〉
本発明においては、複数のサプリメント溶出手段(2) を設け、かつそのサプリメント溶出手段(2) として、サプリメント(S) とセラミックス(C) との複合体(SC)からなるものを用いる。なお、たとえば沸石、麦飯石、珊瑚等のようにセラミックス(C) 自体が溶出可能なミネラル分を含んでいるような場合は、そのセラミックス(C) を複合体(SC)として用いることもできる。
【００１６】
（サプリメント(S) ）
ここで、サプリメント(S) としては、多種多様のものを用いることができる。以下においては、そのいくつかを例示する。
・ビタミンＡ1 （レチノール）、ビタミンＢ1 、ビタミンＢ2 、ビタミンＢ6 、ビタミンＢ12、パントテン酸（ビタミンＢ複合体の１因子）、ニコチン酸（ナイアシン、水溶性ビタミンＢ複合体の一種）、葉酸（ビタミンＢ複合体）、ビタミンＣ（アスコルビン酸）、ビタミンＤ、ビタミンＥ（トコフェロール）、ビタミンＫ、ビタミンＨ（ビオチン）等の広義のビタミン類。なお、ビタミンＣのようなあるビタミンの場合には、残留塩素を分解する作用も奏する。
・カルシウム、鉄、リン、マグネシウム、ナトリウム、カリウム、銅、マンガン、セレン、亜鉛、イオウ、クロム、モリブデン、コバルト、ヨウ素、フッ素、塩素等の広義のミネラル類。
・各種のアミノ酸。
・水溶性食物繊維。
・キチン、キトサン。
・オレイン酸、リノレン酸、エイコサペンタエン酸、ドコサヘキサエン酸。
・プロテイン、コラーゲン、善玉コレステロール、核酸。
・オリゴ糖（フラクトオリゴ糖、ガラクトオリゴ糖など多種）。
・プロポリス（植物性樹脂成分とミツバチの分泌物との混合物）、ローヤルゼリー。
・その他、多種の植物（木、竹、草、ハーブ、薬草、果物、豆、穀類、野菜、海藻、茸類等）の全体または必要部位（葉部、樹皮、根、茎、全草、種子、実、果皮、果汁等）を、水蒸気蒸留したり、水、有機溶剤、水−有機溶剤混合溶剤等を用いて溶媒抽出したりすることにより取得した精油ないし抽出物（あるいはそれをさらに精製処理して目的成分の含有量を高めたもの）、たとえば、ポリフェノール、カテキン、タンニン、サポニン、フラボノイド、イソフラボン、カロテノイド、ギンコライド、アリシン、クロロフィル、アントシアニン、タウリン、クエン酸、β−ジケトン、テルペノイド、ギムネマ酸、レシチン、カプサイシン、ステビア抽出物など多種のものなどである。これらの中には、抗酸化作用、ダイエット作用、整腸作用、血圧調整作用、コレステロール調整作用、貧血防止作用、美肌作用、口臭防止作用などの作用を奏するものも多い。
・茸類の抽出物や粉砕物。
・有効成分を含む植物、動物、微生物の粉砕物。
・コンドロイチン硫酸等の動物由来の有効成分。
・天然物由来のものだけでなく、たとえばワサビやカラシの有効成分であるアリルイソチオシアネートのように、天然成分と同じものを合成法により得たもの。
【００１７】
（セラミックス(C) ）
セラミックス成分(C) としては、（重複して記載しているものもあるが、）たとえば次のようなものが単独でまたは２種以上を組み合わせて用いることができる。
・無水ケイ酸、ケイ酸塩（ケイ酸ナトリウムやケイ酸カリウム）、シリカゲル、コロイダルシリカ、エチルシリケート由来のセラミックス。
・リン酸、硫酸、硝酸、炭酸などの無機酸の多価金属塩やアルカリ金属塩。
・アルカリ金属やアルカリ土類金属のフッ化物やケイフッ化物。
・各種の粘土鉱物（セピオライト、バーミキュライト、ベントナイト、セリサイト粘土、カオリン等）。
・ゼオライト、クリストバライト。
・酸化物（アルミナ、チタニア、シリカ、ジルコニア、マグネシア、酸化亜鉛等）、水酸化物（アルミニウム、マグネシウム、カルシウム、マンガンの水酸化物等）、複合酸化物（ミョウバン等）、窒化物（窒化ケイ素、窒化ホウ素等）、炭化物（炭化ケイ素、炭化ホウ素等）、ケイ化物、ケイ藻土、ケイ酸の多価金属塩、ホウ化物。
・電気石（トルマリン）、マイナスイオン放射性セラミックス、遠赤外線放射性セラミックス、微放射性セラミックス（モナズ石等）。
【００１８】
（複合体(SC)）
サプリメント(S) とセラミックス(C) との複合体(SC)としては、次に例示するようなものがあげられる。
１．セラミックス(C) で作製した格子状のハニカムやチップにサプリメント(S) が担持されているもの。
２．セラミックス(C) の製造工程の任意の工程において、サプリメント(S) を共存させたもの。
３．セラミックス(C) の層間に、サプリメント(S) が取り込まれているもの。
４．セラミックス(C) の製造が凝集工程を伴う場合、その凝集粒子の間にサプリメント(S) が混在しているもの。このときには、セラミックス(C) 中の凝集力のある成分が凝集するときまたは凝集前にサプリメント(S) を存在させることにより複合化がなされる。
５．セラミックス(C) にサプリメント(S) が配位しているもの。
６．セラミックス(C) とサプリメント(S) との混合物、セラミックス(C) にサプリメント(S) を吸着ないし含浸させたもの。
【００１９】
複合体(SC)の形状は、粒子状、錠剤状、ボール状、破砕状、ブロック状、筒状、ハニカム状、コート層状、繊維状をはじめ種々様々の形状をとりうる。また、複合体(SC)は、これを表面または内部に有する成形体の形態とすることもでき、このときには、上記の複合体(SC)を微粉状とし、その複合体(SC)を高分子成形物の製造時に内添して成形体とするか、その複合体(SC)をバインダーと共に種々の成形体（基材）にコーティングすることにより、表面または／および内部に複合体(SC)を有する構造物とすることも好ましい。
【００２０】
上記の複合体(SC)（あるいはその複合体(SC)を表面または内部に有する成形体）は、最終的には、空隙を有する立体的な構造体や連続気泡性発泡構造体の形態として、使用に供することが好ましい。
【００２１】
複合体(SC)を構成するサプリメント(S) とセラミックス(C) の割合は、それらの種類によって大きく異なるので一概には決められないものの、両者の合計量を１００重量部とするとき、サプリメント(S) の割合がたとえば 0.1〜５０重量部（好ましくは 0.3〜３０重量部）となるようにすることが多い。サプリメント(S) の割合が極端に少ないときはサプリメント(S) の溶出量が不足し、一方、サプリメント(S) の割合が極端に多いときは、セラミックス(C) との複合化によるサプリメント(S) の溶出抑制が不充分となることがあるからである。
【００２２】
〈溶存酸素量調節手段(4) 〉
溶存酸素量調節手段(4) は、ポット(1) 内の湯水を取り出すときに、湯水中の溶存酸素量を調節するためのものである。
【００２３】
ポット(1) 内の水を熱水とするときは、水中の溶存酸素量はほぼゼロまたはゼロに近い量となるので、その溶存酸素量を適量に増加することが望ましい場合が多い。
【００２４】
本発明においては、溶存酸素量調節手段(4) として、湯水を多孔質セラミックスと接触させる接触手段(4a)が採用される。セラミックスとしては、たとえば、電気石（トルマリン）、バテライト、モナズ石、ゼオライト、珪藻土、ドリマイト、タルク、マイカ、セピオライト、ベントナイトなどが用いられ、これらは２種以上を組み合わせて用いることもできる。多孔質セラミックスそのものから酸素が供給されたり、多孔質セラミックスの気孔からエアが供給されたりすることを利用するのである。気孔は、一般に、細かなほど溶存ガス量調節の点で有利である。
【００２５】
溶存酸素量調節手段(4) としては、上に述べた湯水を多孔質セラミックスと接触させる接触手段(4a)と、エアレーション手段(4b)とを併用することも好ましい。後者のエアレーション手段(4b)としては、湯水中にエアを吹き込む方法や、流路の壁に外部につながる貫通孔や空隙を設け、湯水の流れにより生ずる負圧を利用して外部のエアが吸引されるようにする方法があげられる。
【００２６】
〈機能性ポット〉
本発明の機能性ポットにあっては、ポット(1) に複数のサプリメント溶出手段(2) が付設され、ポット(1) 内の湯水を取り出すときに、その湯水が、セラミックス(C) との複合体(SC)からなるサプリメント溶出手段(2) を経て取り出される流路Ｘをとりうるようにされる。
【００２７】
サプリメント溶出手段(2) を経る流路ｘは、１つであってもよく、複数であってもよい。流路Ｘは、下向き、上向き、斜め向き、横向きなどのいずれであってもよく、これらが組み合わさったものであってもよい。
【００２８】
複数のサプリメント溶出手段(2) に対処するために、本発明においては湯水の取り出し流路を選択する流路選択手段(3) が設けられ、この流路選択手段(3) の操作により所望のサプリメント溶出手段(2) を経て湯水が取り出される。
【００２９】
流路選択手段(3) の例は、三方コックや四方コックのような切り替えコック、レボルバー式に流路を切り替える手段、個々の流路の開閉を選択する手段などである。
【００３０】
また、流路Ｘと共に、サプリメント溶出手段(2) を経ないで湯水が取り出される流路Ｙを備えるようにすることも好ましい。
【００３１】
流路Ｘ（または流路Ｘと流路Ｙ）の構成は、種々の組み合わせをとることができる。図１により、その組み合わせの例を示す（流路Ｘが複数であるときをＸ1 、Ｘ2 、・・とする）。図１のうち（イ）、（ロ）は、サプリメント溶出手段(2) が１つなので、本発明の実施態様ではない。
【００３２】
図１（イ）は、１つの流路Ｘと１つのサプリメント溶出手段(2) とからなる最もシンプルな態様を示したものである。ポット(1) 内の湯水は、サプリメント溶出手段(2) の複合体(SC)と接触し、複合体(SC)内のサプリメント(S) が溶出した形で取り出される。
【００３３】
図１（ロ）は、流路Ｙと流路Ｘとを並列に配置した態様を示したものである。ポット(1) 内の湯水は、流路Ｙのラインを経てそのまま取り出すか、流路Ｘ−サプリメント溶出手段(2) のラインを経てサプリメント(S) が溶出した形で取り出すかの選択がなされる。
【００３４】
図１（ハ）は、並列配置の例であって、２つの流路Ｘ1 、Ｘ2 と、２つのサプリメント溶出手段(2a), (2b)とからなる態様を示したものである。流路選択手段(3) を操作することにより、ポット(1) 内の湯水は、図の左側の流路Ｘ1 −サプリメント溶出手段(2a)のラインを経て取り出すか、図の左側の流路Ｘ2 −サプリメント溶出手段(2b)のラインを経て取り出すかの選択がなされる。
【００３５】
図１（ニ）は、並列配置の例であって、流路Ｙと、２つの流路Ｘ1 、Ｘ2 と、２つのサプリメント溶出手段(2a), (2b)とからなる態様を示したものである。流路選択手段(3) を操作することにより、ポット(1) 内の湯水は、図の左側の流路Ｙのラインを経てそのまま取り出すか、図の中央の流路Ｘ1 −サプリメント溶出手段(2a)のラインを経て取り出すか、図の左側の流路Ｘ2 −サプリメント溶出手段(2b)のラインを経て取り出すかの選択がなされる。
【００３６】
図１（ホ）は、並列配置と直列配置とを組み合わせた例であって、流路選択手段(3a)を操作することにより、まず流路Ｙと、１つの流路Ｘとに別れ、流路Ｙの下流においては流路選択手段(3b)により流路Ｙと流路Ｘ1 を選択でき、流路Ｘの下流においては流路選択手段(3c)により流路Ｘ2 、Ｘ3 のいずれかを選択できるようにしてある。そして、流路Ｘにはサプリメント溶出手段(2) が配置され、流路Ｘ1 にはサプリメント溶出手段(2a)が配置され、流路Ｘ2 、Ｘ3 には、それぞれサプリメント溶出手段(2a), (2b)が配置してある。たとえば流路Ｘを選択したときには、サプリメント溶出手段(2) から溶出したサプリメント(S) と、サプリメント溶出手段(2a)または(2b)から溶出したサプリメント(S) とが混合した湯水が取り出されることになる。
【００３７】
図２（イ）は、流路選択手段(3) として、レボルバー式に流路を切り替える手段を採用した場合の機構を示した説明図である。図２（イ）においては流路はＹ、Ｘ1 、Ｘ2 、Ｘ3 からなり、Ｘ1 、Ｘ2 、Ｘ3 の下方には、それぞれサプリメント溶出手段(2a), (2b), (2c)が配置してある。ポット(1) 内の湯水の供給路は白抜き矢印の位置に連絡され、円盤が回転すると、白抜き矢印の直下にあるサプリメント溶出手段(2a), (2b), (2c)のいずれかに湯水が供給される。
【００３８】
図２（ロ）は、図２（イ）の流路選択手段(3) を２つ直列に配置したものであり、上段のサプリメント溶出手段(2a), (2b), (2c)と下段のサプリメント溶出手段(2d), (2e), (2f)との組み合わせが格段に多くなるようにしてある。
【００３９】
ポット(1) にサプリメント溶出手段(2) と共に設置する溶存酸素量調節手段(4) は、上述の図１や図２に示したサプリメント溶出手段(2) と直列または／および並列となるように配置することができる。
【００４０】
図３は、流路選択手段(3) として、個々の流路の開閉を選択する機構を採用した場合の説明図である。図３においては流路はＸ1 、Ｘ2 、Ｘ3 、・・、Ｙからなり、それぞれの流路には、ＯＮ、ＯＦＦ式の流路選択手段(3a), (3b), (3c)、・・と、対応するサプリメント溶出手段(2a), (2b), (2c)、・・が設けられている。他に、流路Ｙとそのための流路選択手段も設けられている。流路選択手段のうちのいずれか１つを開にし他を閉にすれば、開にした流路のみから湯水が取り出される。流路選択手段のうちの任意のｎ個を開にし残余を閉にすれば、開にした複数の流路から湯水が取り出される。
【００４１】
〈作用〉
本発明の機能性ポットは、ポット(1) からの湯水の吐出時に、湯水中に適量かつ必要なサプリメントが溶出されるように工夫されている。従って、本発明の機能性ポットを用いれば、日常の習慣となっている緑茶、コーヒー、紅茶のようなお茶を飲んだり水を飲んだりするようなごく自然な喫飲感で、必要なサプリメント（または必要なサプリメントの組み合わせ）を摂取できることになる。この場合、摂取直前にサプリメントが湯水中に溶出するので、サプリメントが変質することがなく、しかも長期にわたりサプリメントを補充する手間を要しない。さらには、サプリメントの摂取と溶存酸素量の調節とを組み合わせることもできる。
【００４２】
【実施例】
次に実施例をあげて本発明をさらに説明する。
【００４３】
実施例１（参考例）
図４は、参考例としての機能性ポットの一例を示した説明図である。
【００４４】
本体部、蓋部、吐出部からなり、残量表示手段を備え、かつ水温を９８℃および８５℃に維持できる加熱手段と温度調節手段とを備えたポット(1) を準備した。
【００４５】
吐出路には、溶存酸素量調節手段(4) の一例としてのエアレーション手段を設けてある。このエアレーション手段は、流路の壁に外部につながる開閉可能な貫通孔からなり、その貫通孔を開に設定した状態においては、熱水の流れにより生ずる負圧により外部のエアが吸引されて熱水中に自然導入され、熱水中の溶存酸素量が増大するようになっている。
【００４６】
溶存酸素量調節手段(4) の下流には、流路選択手段(3) の一例としての四方コックを設けてあり、熱水をそのままパスさせる流路Ｙと、サプリメント溶出手段(2a), (2b)を経てパスする流路Ｘ1 、Ｘ2 の３流路を選択できるようにしてある。
【００４７】
サプリメント溶出手段(2a)は、サプリメント(S) の一例としてのミネラル類（１０種類のミネラルをバランス良く配合したもの）と、セラミックス(C) の一例としてのコロイダルシリカとの複合体(SC)が充填された管で構成されている。サプリメント溶出手段(2b)は、サプリメント(S) の一例としてのビタミン類（１３種類のビタミンをバランス良く配合したもの）と、セラミックス(C) の一例としてのコロイダルシリカとの複合体(SC)が充填されたカラムで構成されている。
【００４８】
なお、これらの複合体(SC)は、コロイダルシリカのコロイド液にミネラル類またはビタミン類を加えて、噴霧乾燥装置により一挙に乾燥し、ついで５mm径の球状に造粒することにより製造したものである。
【００４９】
このような機構を有しているため、ポット(1) 内の熱水の取り出しについて、次の６態様のうちのいずれかを選択できるようになっている。
１．溶存酸素量が少ない熱水をそのまま取り出す。
２．溶存酸素量が少ない熱水に、ミネラル類が含有された状態で取り出す。
３．溶存酸素量が少ない熱水に、ビタミン類が含有された状態で取り出す。
４．溶存酸素量を増やした熱水をそのまま取り出す。
５．溶存酸素量が多い熱水に、ミネラル類が含有された状態で取り出す。
６．溶存酸素量が多い熱水に、ビタミン類が含有された状態で取り出す。
【００５０】
加熱手段をＯＦＦにすれば、上記１〜６において、熱水を室温の水に代えた態様とすることができる。流路選択手段(3) を工夫すれば、ミネラル類とビタミン類との双方が含有された熱水または室温の水を取り出すことができる。
【００５１】
実施例２
図５は、本発明の機能性ポットの他の一例を示した説明図である。
【００５２】
本体部、蓋部、吐出部からなり、残量表示手段を備え、かつ水温を一定温度に維持できる加熱手段と温度調節手段とを備えたポット(1) を準備した。
【００５３】
サプリメント溶出手段(2) は、サプリメント(S) の一例としてのビタミン類とセラミックス(C) の一例としてのトルマリンとの複合体(SC)のボールが充填されたカートリッジで構成されている。そのカートリッジの直下には、通気孔付きの大径のパイプ周りに多孔質の抗菌性ハニカムが配置されると共に、そのパイプに湯水滞留用の邪魔板が付設された構造を有する溶存酸素量調節手段(4) （下記のように、多孔質セラミックスと接触させる接触手段(4a)であるが、負圧を利用したエアの吸引によりエアの混入を行うエアレーション手段(4b)機能も有する）が形成されている。
【００５４】
ポット(1) 内の湯水は、カートリッジを通過する間に水流でボールを振動させながら下の空間に移動するが、湯水の通過により減圧されたパイプ内の空間に、多孔質のハニカムの空孔に存在するエア（さらにはそのハニカムを経て侵入した外部のエア）が引き込まれるので、エアレーション作用を起こすようになっている。
【００５５】
実施例３
水中への溶存酸素量を調べるため、次の条件で、エアレーションのみの場合と、エアレーションとセラミックスとの接触とを併用した場合についての実験を行った。エアレーション時間は、トータルで１０分間とした。水温は１５±２℃とした。初期の溶存酸素濃度は、ほぼゼロに設定した。結果を図６に示す。
・「エアレーション」は、容器内の水の中にエアを吹き込んだ場合。
・「トルマリンのみ」とあるのは、トルマリンを用いて作製した直径５mmのボールを容器内の水の中に入れた状態で、エアを吹き込んだ場合。
・「トルマリン：バテライト」とあるのは、トルマリンとバテライトとの所定の割合の混合物を用いて作製した直径５mmのボールを容器内の水の中に入れた状態で、エアを吹き込んだ場合。
【００５６】
図６から、エアレーションのみを行っても水中の溶存酸素量は増大するが、エアレーションとセラミックスとの接触とを組み合わせると、溶存酸素量の増大に要する時間が短縮されることがわかる。
【００５７】
【発明の効果】
本発明の機能性ポットを用いれば、ポット(1) からの湯水の吐出時に、湯水中に適量かつ必要なサプリメントが溶出されるので、ごく自然な喫飲感でその人に合ったサプリメント（または必要なサプリメントの組み合わせ）を摂取することができる。病気の予防、体調の維持、アレルギー症状の緩和、爽快性、リラックス性、アロマセラピー性などが図られる。
【００５８】
加えて、次のようなすぐれた効果も奏される。
・摂取直前にサプリメントが湯水中に溶出するので、サプリメントが変質することがない。
・サプリメント溶出手段(2) がサプリメント(S) とセラミックス(C) との複合体(SC)からなるので、長期にわたりサプリメントを補充する手間を要しない。
・流路選択手段(3) を設けているので、所望のまたは所望の組み合わせのサプリメント溶出手段(2) を経て、湯水を取り出すことができる。
・サプリメントの摂取のほかに、溶存酸素量調節手段(4) により溶存酸素量の調節ができるので、湯水をさらにおいしくすることができる。
【図面の簡単な説明】
【図１】  流路Ｘ，Ｙの組み合わせの例を示した説明図である。
【図２】  流路選択手段(3) の例を示した説明図である。
【図３】  流路選択手段(3) として、個々の流路の開閉を選択する機構を採用した場合の説明図である。
【図４】  参考例としての機能性ポットの一例を示した説明図である。
【図５】  本発明の機能性ポットの他の一例を示した説明図である。
【図６】  溶存酸素濃度の測定結果を示したグラフである。
【符号の説明】
(1) …ポット、
(2), (2a), (2b), (2c), (2d), (2e), (2f) …サプリメント溶出手段、
(3), (3a), (3b), (3c) …流路選択手段、
(4) …溶存酸素量調節手段、
Ｘ，Ｘ1 ，Ｘ2 ，Ｘ3 ，Ｙ…流路
【図１】
0004015881.tif 000002
【図２】
0004015881.tif 000003
【図３】
0004015881.tif 000004
【図４】
0004015881.tif 000005
【図５】
0004015881.tif 000006
【図６】
0004015881.tif 000007